(57)【要約】【課題】球抜き操作が簡単かつ楽にでき、破損の恐れの少ない球抜き装置を備える遊技機を提供する。【解決手段】球供給樋８の底面に球抜口３５を開設し、そこから分岐される球抜き樋１２を設け、該球抜口３５に遊技球の流路を切り替える球抜き装置Ｔを備えた遊技機であって、前記球抜き装置Ｔは、上端部で往復回動自在に軸着されると共に自重で復動して球抜口３５を開放する球抜き部材１３と、進退自在に設けられると共に弾性部材３３により球抜き部材１３側へ常に付勢されかつ球抜き部材１３の往動動作に伴い後退して該球抜き部材１３に係合する係止部材３２とを有し、係止部材３２をその付勢に抗して後退させることにより球抜き部材１３と係止部材３２との係合が解かれて球抜口３５を開放し、係止部材３２を弾性部材３３により付勢した状態で球抜き部材１３を往動させることにより該球抜き部材１３に係止部材３２が係合して球抜口３５を閉塞するようにする。【選択図】図６
2010057742.tif 000002
【特許請求の範囲】
【請求項１】
球タンクの遊技球を球払出装置へ導く球供給樋の底面に球抜口を開設すると共に該球抜口を介し該球供給樋から分岐される球抜き樋を設け、前記球抜口に外部から操作することにより該球抜口を開閉して遊技球の流路を切り替える球抜き装置を備えた遊技機であって、
前記球抜き装置は、上端部で往復回動自在に軸着されると共に自重で復動して前記球抜口を開放する球抜き部材と、進退自在に設けられると共に弾性部材により前記球抜き部材側へ常に付勢されかつ前記球抜き部材の往動動作に伴い後退して該球抜き部材に係合する係止部材とを有し、
前記係止部材をその付勢に抗して後退させることにより前記球抜き部材と該係止部材との係合が解かれて前記球抜口を開放し、前記係止部材を前記弾性部材により付勢した状態で前記球抜き部材を往動させることにより該球抜き部材に該係止部材が係合して前記球抜口を閉塞するようにしたことを特徴とする遊技機。
【発明の詳細な説明】
【技術分野】
【０００１】
本発明は、球タンクの遊技球を球払出装置へ導く球供給樋と、該球供給樋内の遊技球を外部へ排出する球抜き樋との分岐部に設けられ、それら流路を切り替える球抜き装置を備えた遊技機に関する。
【背景技術】
【０００２】
遊技機の一種であるパチンコ遊技機は、遊技機本体の後側上部に遊技球を一時的に貯留する球タンクが設置され、その下方に該球タンクから排出される遊技球を流下させて球払出装置へ導く球供給樋が設けられている。この球供給樋には、通常、球抜き樋が分岐して設けられると共に該分岐部にこれら流路を切り替える球抜き装置が取着されている。そして、例えばパチンコ遊技機の交換やメンテナンス等の際には前記流路を切り替えて、球タンクや球供給樋内に溜まっている遊技球をパチンコ遊技機の外部へ排出するようにしている。（例えば、下記特許文献１参照。）
【特許文献１】特開２００７−７０９６号公報
【０００３】
上記特許文献１に記載のパチンコ遊技機では、前記分岐部に支持軸を中心として回動自在な球抜き部材が軸支される。この球抜き部材は、該分岐部の外側面に設けられ該支持軸に同軸状に軸支された把手片により回動操作される。そして、把手片の回動操作と連動して球抜き部材に形成された蓋部が球抜口を開閉する。さらに、把手片と分岐部の外側面との相対する部位には嵌合可能な凸部と凹部が其々形成され、該把手片を一方向へ回動させると、該凸部と該凹部が嵌合して球抜き部材が回動不能になってその蓋部により球抜口を閉塞する。また、該把手片を他方向へ回動させると、凸部と凹部との嵌合が解除され、球抜き部材が自重で回動可能になって球抜口を開放するようになる。
【発明の開示】
【発明が解決しようとする課題】
【０００４】
ところで、上述のパチンコ遊技機では、球抜き部材の蓋部により球抜口を閉塞した状態をしっかりと保持するために、凸部と凹部とが互いにきつく嵌合するように形成されている。従って、凸部と凹部を嵌脱するに把手片を強い力で回動操作しなければならないことから、その回動操作が楽ではなかった。また、球抜口を開閉するに把手片の回動操作を何度も繰り返すと、次第に凸部と凹部とが磨り減ってガタつき、これらの嵌合力が弱まってしまい、球抜口のしっかりとした閉塞状態を保持することが難しくなり、本来の機能が発揮できなくなる恐れがあった。さらに、強い力で把手片を繰り返し回動操作するので、長い間使用していると該把手片が疲れて破損してしまうという改良すべき点があった。
【０００５】
そこで本発明は、上記課題を解決するために、球抜口の開閉操作が楽に行なえると共に該球抜口の閉塞状態がしっかりと保持されるようにし、また、破損の恐れがほとんどなく長期に亘り使用することができる球抜き装置を備えた遊技機を提供することを目的とする。
【課題を解決するための手段】
【０００６】
かかる目的を達成するため本発明の遊技機は、球タンクの遊技球を球払出装置へ導く球供給樋の底面に球抜口を開設すると共に該球抜口を介し該球供給樋から分岐される球抜き樋を設け、前記球抜口に外部から操作することにより該球抜口を開閉して遊技球の流路を切り替える球抜き装置を備えた遊技機であって、
前記球抜き装置は、上端部で往復回動自在に軸着されると共に自重で復動して前記球抜口を開放する球抜き部材と、進退自在に設けられると共に弾性部材により前記球抜き部材側へ常に付勢されかつ前記球抜き部材の往動動作に伴い後退して該球抜き部材に係合する係止部材とを有し、
前記係止部材をその付勢に抗して後退させることにより前記球抜き部材と該係止部材との係合が解かれて前記球抜口を開放し、前記係止部材を前記弾性部材により付勢した状態で前記球抜き部材を往動させることにより該球抜き部材に該係止部材が係合して前記球抜口を閉塞するようにしたことを特徴とする。
【発明の効果】
【０００７】
本発明の遊技機は、球抜き樋への入口である球抜口を開放するに際し、係止部材を弾性部材の付勢に抗して後退させることにより該係止部材と球抜き部材との係合を解除するようにしている。これにより、上端部で往復回動自在に軸着された球抜き部材が自重で復動して球抜口を開放する。従って、球抜口を開放するに、例えば係止部材を指で後退させるだけでよく、簡単に且つ楽に球抜き操作ができるようになる。
【０００８】
一方、前記球抜口を閉塞するには、係止部材を弾性部材により付勢した状態で球抜き部材を往動させることにより、係止部材が押し退けられて該球抜き部材に係合するようにしている。つまり、球抜き部材を指で往動させるだけでそれに伴い係止部材が後退すると共に、該球抜き部材と該係止部材との擦り合わせが外れたときに係止部材が弾性部材の付勢により前進復帰して球抜き部材に自動的に係合する。従って、球抜口の閉塞操作も簡単に且つ楽にできると共に、球抜き部材による球抜口の閉塞状態をしっかりと保持できるようになる。
【０００９】
このように、球抜口の開放操作と閉塞操作とが簡単かつ楽に行なえることから、球抜き部材の回動操作に際して強い力が不要となり、該球抜き部材の破損のおそれがほとんどなく長期に亘り使用することができる。
【発明を実施するための最良の形態】
【００１０】
以下、本発明に係る遊技機の実施の形態を図面に従って説明する。なお、本発明は、パチンコ遊技機、アレンジボール機または雀球遊技機等の遊技機に適用できるが、その内の一例としてパチンコ遊技機について説明する。図１は本発明が適用されるパチンコ遊技機の後面図、図２は後面側から見た機構板の斜視図である。また、図３は一部を断面にして示す機構板の後面図、図４は図３のＡ−Ａ線拡大断面図である。
【００１１】
パチンコ遊技機Ｐは、縦長長方形状の外枠１の前面に内枠２が開閉自在に装着され、該内枠２に遊技盤３が配設されると共に内枠２の後面側に機構板４が開閉自在に軸着される。遊技盤３の後面には、合成樹脂製の入賞球集合カバー５が装着される。また、図示は省略するが、例えば内枠２の前面に、遊技盤３の上部前面を覆う透明板保持枠と、遊技盤３の下部前面を覆いかつ打球発射部へ供給される遊技球を貯留するための球受皿を設けた前板が装着される。
【００１２】
機構板４の後面側上部であってパチンコ遊技機Ｐを後面側から見た左側寄りに、球タンク６が配置される。この球タンク６に、パチンコ遊技機Ｐの上方に配置された遊技球補給経路（図示せず）から遊技球が補給される。また、球タンク６の一側に球供給樋としてのタンクレール８が接続され、該タンクレール８の下流端に後記する球抜き装置Ｔを内装した屈曲レールユニット１０が配置される。更に、該屈曲レールユニット１０の下端に球払出装置１４が配置されている。更にまた、球払出装置１４の下方には、該球払出装置１４から払い出された遊技球を前記球受皿に排出するための球排出通路１５が設けられている。
【００１３】
前記球タンク６は、球タンク本体１６と球受部材１７とから構成される。球タンク本体１６は合成樹脂製であって、略横長長方形状の底板１８の外周縁に側壁１９を立設し、上面が開口する有底箱枠状に成形される。球タンク本体１６の内部の一隅部（前記球払出装置１４が設けられた側であってパチンコ遊技機Ｐの後面から遠く離れた側の隅部）には、遊技球を排出するための導出口７が開設され、該球タンク本体１６の底板１８は全体的に該導出口７へ向かって下傾している。遊技球はこの導出口７から並列状に二列になって排出され、前記タンクレール８へ流入する。
【００１４】
球受部材１７は、合成樹脂からなり上面および先端縁が開放された箱枠状の部材であって、球タンク本体１６の開口する上面の略中央から右側、すなわち球払出装置１４が設けられた側の側壁１９までを覆うようにして該球タンク本体１６内部の上側に配設される。これにより、球タンク本体１６に開設された導出口７の上方が球受部材１７で覆われ、該球タンク本体１６に供給される遊技球の一部が該球受部材１７に載って支持されるようになり、多数の遊技球が多段に重なって流下することにより発生する導出口７における球詰まりを防止している。また、球受部材１７の底板２０の下面には、球崩し部材２１が該球受部材１７と一体に突設される。この球崩し部材２１は、球タンク本体１６内を導出口７へ向かって流下する遊技球の一部に接触し、球崩れを誘発させ導出口７に向かって集中する球圧を軽減するものであり、該導出口７の上方位置よりも若干上流側に位置している。
【００１５】
前記タンクレール８は、その上流端部が前記球タンク６の導出口７と連通し、下流端部側へ下傾するように設けられる。タンクレール８は上面が開放されると共に、該タンクレール８の幅方向の中央にて下流端部側へ向かって立設した仕切壁２２によって二条の球通路９が形成されている。この仕切壁２２は、球タンク６の導出口７の下方位置にあたるタンクレール８の上流端部寄りから下流端部側へ向かって曲線状にかつ漸次高さを増すように立設される。そして、一番高くなる頂点２３を形成してから若干高さを低くし、タンクレール８の下流端部までは一定の等しい高さに設定されている。
【００１６】
前記頂点２３より下流側の上方に、球ならし部材２４が設けられる。この球ならし部材２４にはその下部に下方へ円弧状に膨らむ押圧片２５が形成され、該球ならし部材２４上部の下流側に支持片２６が設けられている。また、押圧片２５の幅方向の中央に、下方へ向けて振分板２７が突設されている。この球ならし部材２４は、支持片２６の上端部を機構板４に軸着することにより、押圧片２５が各球通路９の上方に対向位置し、振分板２７が該仕切壁２２と同一平面上に位置するようになっている。
【００１７】
前記球ならし部材２４の支持片２６の下方から前記タンクレール８の下流端部にかけて、各球通路９の上方に位置するように球整流部材２８が設けられる。この球整流部材２８は、表面に樹脂コーティングをした金属棒を屈曲して長いＵ字形にかつ上方へ湾曲して形成され、その閉塞側が球ならし部材２４の支持片２６の下部に係合して始端部となっている。また、開放側の両先端は其々上方へＣ字形に折曲され、機構板４の後面に突設した支軸２９に軸支される。これにより、前記球ならし部材２４と共に該球整流部材２８によって各球通路９内に多段に積み重なって流下する遊技球が均され一段に整列されることになる。また、支軸２９には該球整流部材２８の開放側の間に位置するようにして、球止板３０が同軸状にかつ回動自在に軸支されている。この球止板３０は一対の爪状の球止片３１、３１を有し、該球止板３０を一方へ回動させると各球止片３１が各球通路９内に介入して遊技球の流下を堰き止め、他方へ回動させると各球止片３１が各球通路９から抜脱して遊技球が流下し得るようになっている。通常は、球止板３０を他方へ回動させ、各球止片３１を各球通路９から抜いておく。
【００１８】
次に、屈曲レールユニット１０について説明をする。図５は屈曲レールユニットの外観斜視図、図６は屈曲レールユニットの分解斜視図である。また、図７は球抜口が閉塞された状態の屈曲レールユニットの正面断面図、図８は球抜口が開放された状態の屈曲レールユニットの正面断面図である。屈曲レールユニット１０は、球供給樋としての屈曲レール１１と、球抜き樋１２と、球抜き装置Ｔとから大略構成される。すなわち、この屈曲レールユニット１０は、一対の外郭部材３４ａ、３４ｂを前後方向から重ね合わせて結合すると共に前記機構板４に装着すると、屈曲レール１１の二条の球通路９と該球通路９から分岐される球抜き樋１２とが内部に形成され、これらの分岐部に球抜き装置Ｔが位置する。そして、屈曲レールユニット１０が、機構板４に取り付けられた状態で、その内部に形成された球通路９の上流端部が前記タンクレール８内の球通路９の下流端部に連通し、該屈曲レールユニット１０内の球通路９の下流端部が、前記球払出装置１４の流入側に連通する。また、前記球抜き樋１２の下流端部が、遊技球をパチンコ遊技機Ｐの外部に排出する流出口（図示せず）に連通するようになっている。
【００１９】
また、球抜き装置Ｔは、回動して遊技球の流下方向を球通路９側と球抜き樋１２側とのどちらかに切り替える球抜き部材１３と、球通路９側を遊技球が流下するように該球抜き部材１３の姿勢を保持する係止部材３２と、該係止部材３２を前記球抜き部材１３側へ常に付勢する弾性部材としてのコイルバネ３３とを有する。
【００２０】
屈曲レール１１の上流端寄りは、機構板４を後面側から見て右下傾から左下傾へと滑らかに変化する。左下傾する屈曲レール１１は、その傾斜角を一定に保ちながら屈曲レールユニット１０の左側部に達し、ここで傾斜方向を略鉛直に変更し、そのまま屈曲レールユニット１０の下端に達している。一方、左下傾する屈曲レール１１の球通路９の底面に、球抜き樋１２への分岐部に位置して球抜口３５が開設される。また、該球抜口３５の開設位置と相対する球通路９の天井面には、該球通路９の天井面を該球抜口３５に向かって台形状に隆起させた凸部３６が設けられる。この凸部３６は、球通路９内を流下する遊技球を衝突させることにより該遊技球を球抜口３５方向へ押しやり、該球抜口３５が開いているとき、遊技球を球抜口３５へ流入し易くするものである。
【００２１】
前記球抜き樋１２は、前記球抜口３５の下方に略鉛直に形成される。そして、該球抜き樋１２の内部であって前記球抜き部材１３の取着位置の下方に、前記機構板４の前面側へ下傾する傾斜面３７が形成される。これにより、球抜き樋１２へ流入した遊技球は、この傾斜面３７を一列になって機構板４の前面側へ流下するようになっている。
【００２２】
また、前記一対の外郭部材３４ａ、３４ｂの各側壁の対向する内面であって前記屈曲レール１１の外側かつ前記球抜口３５の上部縁にあたる位置に、内方へ向けて互いに向き合いかつ同一軸線上に位置する一対の支軸３８、３８が突設される。これら支軸３８、３８の下方に、該外郭部材３４ａ、３４ｂの内側へ水平に突出する一対の押さえ板３９、３９が設けられ、また、各押さえ板３９の下方であって該外郭部材３４ａ、３４ｂの側壁に、上下方向に開設される長孔状の一対のレール溝４０、４０が設けられる。さらに、前面側の外郭部材３４ｂのレール溝４０の下方には、後面側の外郭部材３４ａ方向へ水平に突出する支持台部４１が形成される。
【００２３】
前記球抜き部材１３は、前記球抜口３５を開閉する矩形平板状の蓋部４２と、前記蓋部４２と一体に設けられる矩形平板状の押片部４３と、前記蓋部４２と前記押片部４３との同側上端縁にこれらと一体に設けられ中央に貫通孔４４を有する支持筒部４５とから概ね構成される。前記蓋部４２と前記押片部４３とは、約４５度の角度を成すように配置される。また、該蓋部４２と該押片部４３との間に補強リブ４６が直交状に設けられる。
【００２４】
前記補強リブ４６には、押片部４３側の下縁に該押片部４３の下端よりも下方へ突出する側面略直角三角形状の係止突起４７が一体に形成される。この内、直角をなす二辺の内の一辺が補強リブ４６の下縁に一致しかつ他の一辺が押片部４３における外側面の延長面と一致している。該係止突起４７の下端縁である斜辺部４７ａは外側へ若干膨らむ曲線状に形成され、球抜き部材１３が回動して球抜口３５を塞ぐ方向へ往動する際に前記係止部材３２の先端部３２ａが該斜辺部４７ａに摺接することになる。また、該係止突起４７における前記直角をなす二辺の内の他片である外面部４７ｂには、前記蓋部４２が前記球抜口３５を閉塞したとき前記係止部材３２の先端部３２ａが係合するようになっている。さらに、押片部４３の外側面に該係止突起４７の外面部４７ｂに一部重なるようにして、略直方体形状の小片４８が設けられている。
【００２５】
この球抜き部材１３は、前記支持筒部４５の貫通孔４４の両端に前記一対の支軸３８を挿入することにより、該支軸３８を中心として回動自在に軸着されると共に常態では自重により前記球抜口３５を開く位置で停止する。そして、球抜き部材１３を往動させると、図７に示したように球抜口３５が塞がれ、遊技球は該球抜き樋１２に流入不能となる。一方、図８に示したように球抜き部材１３が球抜口３５とは逆方向へ自重で復動すると、該球抜口３５が開放され球通路９を流下する遊技球が該球抜口３５から該球抜き樋１２へ流入し得るようになる。この時、蓋部４２は、その下端が前記球抜き樋１２を形成する一方の側壁の始端付近に位置して急角度に下傾し、また、押片部４３は外郭部材３４ａ、３４ｂの側縁から外側へ突出するようになっている。
【００２６】
前記係止部材３２は、略正方形状の平板４９の両側に、長方形状の一対の側板５０、５０を該平板４９に対して垂直に屈曲して設け、平面視でコ字形となるように形成される。この平板４９は前記球抜き部材１３と幅が略等しく、外側面には略水平に突出した操作片５３が設けられている。また、各側板５０の外側面には、該側板５０の長手方向に沿って摺動片５４が其々同一平面内に含まれるようにして設けられる。さらに、平板４９の内側面に、該平板４９に対して垂直な水平リブ５１が一体に形成され、該水平リブ５１の下面に下方へ伸びる支軸５２が設けられる。そして、該支軸５２に弾性部材としてのコイルバネ３３が嵌められ、該コイルバネ３３の下端が支持台部４１の上面に当接するようになっている。この係止部材３２は、摺動片５４、５４が前記外郭部材３４ａ、３４ｂの一対のレール溝４０、４０に其々摺動可能に遊嵌され、前記押さえ板３９と前記支持台部４１との間で上下方向に自在に進退動する。そして、係止部材３２と支持台部４１との間に前記コイルバネ３３が介在して、該係止部材３２を常に球抜き部材１３側へ付勢することになる。
【００２７】
前記球抜き部材１３が前記球抜口３５を塞ぐように往動し、蓋部４２で球抜口３５を閉塞した状態のとき、前記コイルバネ３３により球抜き部材１３側へ付勢される係止部材３２は、その先端部３２ａが球抜き部材１３の係止突起４７の外面部４７ｂに係合し、前記球抜き部材１３を回動不能に固定する。こうして、該蓋部４２により該球抜口３５を閉塞した状態が維持される。一方、この状態から係止部材３２をコイルバネ３３の付勢に抗して支持台部４１側へスライドさせると、該係止部材３２の先端部３２ａと前記球抜き部材１３の係止突起４７との係合が解除され、該球抜き部材１３が自由になって自重で復動し、該球抜口３５が開放されるようになっている。
【００２８】
本発明に係るパチンコ遊技機は上記構成からなり、パチンコ遊技機Ｐの後面側上部に配置される遊技球補給経路（図示せず）から球タンク６に補給される遊技球は、図３に示したように、球タンク本体１６の底板１８の上面に多段に積み重なる。その内の一部は球受部材１７の底板２０の上面に載る。さらに、遊技球は、タンクレール８および屈曲レールユニット１０内の球通路９を流下し、球払出装置１４へ達する。こうして、球タンク６から球払出装置１４までの二条の球通路９は、球列をなす遊技球によって満たされる。そして、例えば遊技中に入賞球が発生し、球払出装置１４が作動してそこから所定個数の遊技球が払い出される毎に、球タンク本体１６内の遊技球が順に導出口７を経由してタンクレール８へ排出され、球通路９を流下していく。なお、球払出装置１４から払い出された遊技球は、球排出通路１５を介してパチンコ遊技機Ｐ前面の球受皿へ払い出されることになる。
【００２９】
屈曲レールユニット１０内では、通常、図７に示したように、前記球抜き部材１３の蓋部４２が前記球抜き樋１２の球抜口３５を閉塞しており、タンクレール８から屈曲レールユニット１０の球通路９へ流入した遊技球は、該球通路９をそのまま流下して球払出装置１４へ流入する。つまり、前記係止部材３２の先端部３２ａが球抜き部材１３の係止突起４７の外面部４７ｂに接触して該係止突起４７に係合することにより、球抜き部材１３が球抜口３５を塞いだ状態で回動不能に支持されている。
【００３０】
そして、例えばパチンコ遊技機の交換やメンテナンス等に際して球抜きするには、外部から係止部材３２の操作片５３に指を掛けて、該係止部材３２をコイルバネ３３の弾性力に抗して後退、すなわち支持台部４１側へスライドさせる。これにより、係止部材３２の先端部３２ａと係止突起４７との係合状態が解除され、球抜き部材１３が自由になって球抜口３５を開放する方向へ自重で復動し、図８に示したように、蓋部４２が球抜口３５から離れて該球抜口３５を開放し流路が切り替えられる。そして、球通路９内の遊技球が球抜口３５を介して球抜き樋１２へ流入し、該球抜き樋１２から流出口（図示せず）へ流下してパチンコ遊技機Ｐの外部に排出される。このように球抜き操作は、係止部材３２を指一本で支持台部４１方向へスライドさせるという簡単な操作で楽に行うことができる。また、一旦係止部材３２を支持台部４１方向へスライドし後退させて該係止部材３２と係止突起４７との係合状態を解除すると、該係止部材３２の操作片５３から指を離し自由にさせても、該係止部材３２が球抜き部材１３の蓋部４２と押片部４３との間に位置し、前記球抜き部材１３は係合状態が解除されたままとなる。
【００３１】
一方、球抜きが完了し、球抜口３５を閉塞するには、図９にて矢印ａで示したように、球抜き部材１３の押片部４３を指で押圧し、該押片部４３を屈曲レールユニット１０内へ押し込む。これにより、球抜き部材１３が球抜口３５側へ往動する。このとき、係止突起４７の下端縁である斜辺部４７ａが前記係止部材３２の先端部３２ａを押圧し該係止部材３２をコイルバネ３３の弾性力に抗して押し退け、図９にて矢印ｂで示したように、該係止部材３２を支持台部４１方向へ後退させる。そして、最終的には図７に示したように、コイルバネ３３の弾性力により球抜き部材１３側へ付勢される係止部材３２の先端部３２ａが係止突起４７の斜辺部４７ａから外れてその外面部４７ｂに係合し、該球抜き部材１３を固定する。同時に、蓋部４２が該球抜口３５を閉塞する。こうして、球抜き部材１３が球抜口３５を塞いだ状態で回動不能に支持される。このように、球抜き部材１３の蓋部４２によって球抜口３５を閉塞する操作も、該球抜き部材１３の押片部４３を指で押すという簡単な操作のみで楽に行うことができる。
【００３２】
上述したように本発明のパチンコ遊技機Ｐでは、球通路９から球抜き樋１２への分岐部に設けられた球抜口３５を開放し、遊技球の流下方向を球抜き樋１２側へ切り替える操作、すなわち球抜き操作が指一本で簡単かつ楽に行なうことができる。同様に、球抜きを終えて球抜口３５を閉塞し、遊技球の流下方向を再び球通路９側へ戻す操作も、指一本で簡単かつ楽に行なうことが可能である。しかも、このときコイルバネ３３により球抜き部材１３側へ付勢されている係止部材３２が該球抜き部材１３に係合することから、該球抜き部材１３の蓋部４２による球抜口３５の閉塞状態をしっかりと保持することができる。また、球抜口３５の開放操作と閉塞操作とが共に指先で楽に行なえ、強い力で操作する必要がないことから、球抜き部材１３が破損しにくく長期に亘り使用できる。従って、球抜き装置Ｔの破損のリスクを大幅に軽減することができる。
【００３３】
なお、本実施の形態においては、機構板４に対して着脱可能な屈曲レールユニット１０に球抜き装置Ｔを設けた構成を示したが、これに限るものではない。例えば、機構板４に直接球抜き部材１３と係止部材３２とを有する球抜き装置Ｔを設けるようにしてもよい。
【図面の簡単な説明】
【００３４】
【図１】本発明が適用されるパチンコ遊技機の後面図。
【図２】後面側から見た機構板の斜視図。
【図３】一部を断面にして示す機構板の後面図。
【図４】図３のＡ−Ａ線拡大断面図。
【図５】屈曲レールユニットの外観斜視図。
【図６】屈曲レールユニットの分解斜視図。
【図７】球抜口が蓋部により閉塞された状態の屈曲レールユニットの正面断面図。
【図８】球抜口が開放された状態の屈曲レールユニットの正面断面図。
【図９】球抜き部材の押片部を押圧している状態の屈曲レールユニットの正面断面図。
【符号の説明】
【００３５】
６              球タンク
８              タンクレール（球供給樋）
９              球通路
１０            屈曲レールユニット
１１            屈曲レール（球供給樋）
１２            球抜き樋
１３            球抜き部材
１４            球払出装置
３２            係止部材
３３            コイルバネ（弾性部材）
３５            球抜口
４２            蓋部
４３            押片部
４７            係止突起
Ｔ              球抜き装置
【図１】
2010057742.tif 000003
【図２】
2010057742.tif 000004
【図３】
2010057742.tif 000005
【図４】
2010057742.tif 000006
【図５】
2010057742.tif 000007
【図６】
2010057742.tif 000008
【図７】
2010057742.tif 000009
【図８】
2010057742.tif 000010
【図９】
2010057742.tif 000011